Podtech/llm-jp-corpus-v4-ja_patent huggingface dataset:
(57)【要約】      （修正有）【課題】ＣＯ２を排出しないクリーンなエネルギーを提供する。【解決手段】波の動きによりリードレールに沿って上下運動する重量浮体１と、波の動きより掛け金の押し引きを動作させる重量浮体４を、波による上昇限度位置において１が上方、４が下方、１と４が距離をとるようにセットし、それを防波堤、テトラポット等に設置する。波の上昇が、重量浮体１と４を押し上げてゆくが、重量浮体４にはその上昇運動によって掛け金のレバーを押し出させる。重量浮体１は、波の上昇点まで押し上げられ、波の下降時、波と同時に下がってゆくが、掛け金の位置で引っかかり停止し、その位置で留まり位置エネルギーに変換される。更に波の位置が下がり重量浮体４の底面を通過すると、重量浮体４の重さにより掛け金が引かれ、重量浮体１が空間を落下する。その落下エネルギーをフライホイルの回転等に変換する単純な機構であり、波力の発電変換効率を高める。【選択図】図１
2011094600.tif 000002
【特許請求の範囲】
【請求項１】
波の動きにより、リードレールに沿って上下運動する重量浮体（Ａ）と掛け金の押し引きの動作作用ももたせた重量浮体（Ｂ）をセットし、波による上昇限度位置において（Ａ）が上方、（Ｂ）が下方、（Ａ）と（Ｂ）が距離をとるように設置する。
それにより、波の上昇点において重量浮体（Ａ）を掛け金によって固定し、波の下降水面が重量浮体（Ｂ）の底面を通過すると掛け金を外ずし、重量浮体（Ａ）を時間差をつけて落下させる。
その落下エネルギーを一時的にフライホイルの回転エネルギーまたは圧力等に変換、二次的に電気エネルギーに変換する浮体の時間差落下による波力発電。
【発明の詳細な説明】
【技術分野】
【０００１】波力を電気エネルギーに変換する為の浮体の時間差落下による波力発電に関する。
【背景技術】
【０００２】空気の押し出し、振子、越浪貯水等、色々な方法で波力の電気エネルギーへの変換が試されている。
【発明の開示】
【発明が解決しようとする課題】
【０００３】現在実験されている空気の押し出し等の方法では、波力の発電エネルギー変換効率は１０％程度と低く、海上での作業で問題も多く、作業コストも高くなり実用に供される状況にはなっていない。
【課題を解決するための手段】
【０００４】波の動きによりリードレールに沿って上下運動する重量浮体（Ａ）と、波の動きより掛け金の押し引きを動作させる重量浮体（Ｂ）を、波による上昇限度位置において（Ａ）が上方、（Ｂ）が下方、（Ａ）と（Ｂ）が距離をとるようにセットし、それを防波堤、テトラポット等に設置する。
波の上昇が、重量浮体（Ｂ）と重量浮体（Ａ）を押し上げてゆくが、重量浮体（Ｂ）にはその上昇運動によって掛け金のレバーを押し出させる。
重量浮体（Ａ）は、波の上昇点まで押し上げられ、波の下降時、波と同時に下がってゆくが、掛け金の位置で引っかかり停止し、その位置で留まり位置エネルギーに変換される。
更に波の位置が下がり重量浮体（Ｂ）の底面を通過すると、重量浮体（Ｂ）の重さにより掛け金が引かれ、重量浮体（Ａ）が空間を落下する。
その落下エネルギーをフライホイルの回転等に変換する単純な機構であり、波力の発電変換効率を高める。
なお、重量浮体（Ａ）と重量浮体（Ｂ）の距離が落下に時間差を生じさせる。
【発明の効果】
【０００５】固体の落下であり、エネルギーの変換効率は良く、単純な機構である為、資材コストの軽減も出来、ＣＯ２自然環境等に問題を生じない。
【発明を実施するための最良の形態】
【実施例】
【０００６】真鶴防波堤内側波高５０ｍ〜７０ｍにおいて下記の材料で作った装置にて実験。
Ａ  エネルギー変換機構、（自転車を改良。車輪に錘をつけフライホイルとする）
Ｂ  リード支柱（カーテンレール）
Ｃ  重量浮体（灯油缶５ｋｇ）
Ｄ  掛け金（ドアノブを改良）
防波堤に機構を設置し実験を行なったところ、フライホイルの回転、点灯、作動する事が確認出来た。
【産業上の利用可能性】
【０００７】クリーンなＣＯ２を出さないエネルギーであり、用途は多岐にわたる。
【図面の簡単な説明】
【図１】本発明の正面図である。
【符号の説明】１．重量浮体（Ａ）
２．重量浮体（Ａ）のスライド突起（凸）
３．重量浮体（Ａ）の止金
４．重量浮体（Ｂ）
５．掛金
６．掛金
７．掛金作動連結棒
８．リード支柱
９．スライド溝（凹）
１０．支柱
１１．連結アーム
【図１】
2011094600.tif 000003
(57)【要約】【課題】  摩擦抵抗型戻り止めナットにおいて、より大きな摩擦抵抗力を生み出す方法の提供。【解決手段】  形成しているナットのネジ面に、螺旋方向と直交し、螺旋中心に向かっって開いたＶ型の溝を刻んだナットを、ボルトに螺合し、締付けると、ボルトのネジ面に向かって出来る溝の空間部に充填剤を挿入し、ネジ部を覆い、満たすことでボルトとナットが充填剤を介して密着し、一体化が強まりその上、溝を満たした充填剤がボルトのネジ面に対して働く楔の作用も加わり、大きな摩擦抵抗力が得られ課題を解決した。【選択図】図３
2011094782.tif 000002
【特許請求の範囲】
【請求項１】
形成しているナットのネジ面に、螺旋方向と直交し、螺旋中心に向かって開いたＶ型の溝を刻んだナットを、適合するボルトに螺合し、被締付部材を締め付けたとき、当該ナットトのネジ部分においては、当該ボルトのネジ面に向かって開いた当該溝の空間が出来ており、該溝の空間部分に、条件を加味した粘性、弾性或いは、硬化性等のある素材を充填剤として挿入し、該ボルトの山、谷の部分を覆い、包むように処置すると、該ボルトと該ナットは、当該充填剤を介して密着し、一体化が強まり加えて、この状態は戻りトルクに対し該溝の該ボルトのネジ面においては楔としての作用が働くことを特徴とするナットの緩み止め方法。
【発明の詳細な説明】
【技術分野】
【０００１】  本発明は、ナットの緩み止め対策のうちの戻り回転抵抗を増す方法の一つで、戻しトルクを増大させる方法に関するものである。
【背景技術】
【０００２】  従来のナットの緩み止め対策での戻しトルクを増大させる方法は、摩擦トルク型戻り止めナットがあり、これは、ナットにナイロンワッシャーや摩擦リングを取り付けることにより発生する摩擦抵抗により戻りを止める方法であった。
【発明の概要】
【発明が解決しようとする課題】
【０００３】  本発明は、従来のこの摩擦トルク型戻り止めナットにおいて、より大きな摩擦抵抗力を生み出す方法を得ようとするものである。
【課題を解決するための手段】
【０００４】  本発明は、解決手段として、ボルトとナットの締め付け後の処置で互いの密着度、一体化を高めることで大きな摩擦抵抗力を得ようとするものである。  すなわち、形成しているナットのネジ面に、螺旋方向と直交し、螺旋中心に向かって開いたＶ型の溝を刻み、適合するボルトに螺合し、被締付部材を締め付けると、当該ナットのネジ部分においては、当該ボルトのネジ面に向かって開いた当該溝の空間ができる。
つぎに、該溝の空間部分に条件を加味した粘性、弾性或いは、硬化性等のある素材を充填剤として挿入し、該ボルトのネジの山、谷の部分を覆い、包むように処置すると、締め付けた状態の該ボルトと該ナットは、当該充填剤を介して一層密着状態が増し、一体化が強まることになる。
加えて、この強い一体化で、該ナットに戻りトルクが掛かると該溝の楔の形状が、該ボルトのネジ面に対して食い込むように作用し、より大きな摩擦抵抗力が得られる。
尚、ナットのネジ部に刻む溝の長さ、本数、刻み代或いは、挿入する充填剤の仕様等は、ナットの材質、大きさ、用途等また、要求される緩み止めの能力等の条件を加味して決めることになる。
【発明の効果】
【０００５】  従来の摩擦トルク型戻り止めナットは、ナットにワッシャー、リング等を取り付けたもので、その摩擦抵抗力は一定のものであった。
これに対し、本発明の方法によると、Ｖ型の溝を刻んだナットを使用し、締付け後当該溝に充填剤を挿入して、ボルトのねじ山、谷の部分を覆い、包むように処置すると当該ボルトと当該ナットは、当該充填剤を介して密着し、一体化が強まり加えて、該ナットに刻んだ該溝は、該充填剤が満たされると、戻りトルクに対し該ボルトのネジ面に楔として作用し相乗効果で一層大きな摩擦抵抗力を生み出すことになる。
また、ナットのネジ部に刻む溝の長さ、本数、その刻み代等に変化をつけたり、充填剤の仕様の選択等により要求される摩擦抵抗力に対応することもできる。
【図面の簡単な説明】
【０００６】
【図１】本発明のナットの平面図
【図２】本発明の図１におけるＡ−Ａでの立断面図
【図３】本発明の処置後の立断面図
【発明を実施するための形態】
【０００７】  以下、本発明の実施の形態について説明する。
形成しているナットのネジ２面に、螺旋方向と直交し、螺旋中心に向かって開いたＶ型の溝３を刻んだナット１を、適合するボルト５に螺合し、被締付部材７を締付けたとき、当該ナットのネジ２の部分においては、ボルトのネジ６面に向かって開いた当該溝３の空間ができており、該溝３の空間部分に条件を加味した粘性、弾性或いは、硬化性等のある素材を充填剤４として挿入し、当該ボルトのネジ６の山、谷の部分を覆い、包むように処置すると、該ボルト５と該ナット１は、当該充填剤４を介して密着し、一体化が強まり、加えてこの状態は、戻りトルクに対し、該溝３の該ボルトのネジ６面においては楔としての作用が働くようになる。
以上のように、各締付けヶ所を本発明の該溝３を刻んだ該ナット１を使用して、適切に処置することで、以後の戻り回転、戻りトルク等の力に対して、大きな摩擦抵抗力で該ナット１の緩みに対応することができる。
【符号の説明】
【０００８】  １    ナット
２    ナットのネジ
３    Ｖ型の溝
４    充填剤
５    ボルト
６    ボルトのネジ
７    被締付部材
【図１】
2011094782.tif 000003
【図２】
2011094782.tif 000004
【図３】
2011094782.tif 000005
(57)【要約】【課題】鉄筋コンクリート有孔梁の補強金具において、スリーブを補強金具に係止するためのスリーブ係止具として、補強金具への取付けが簡単で、且つ、係止したスリーブが位置ずれを起こさないような構造のスリーブ係止具を提供する。【解決手段】中央の横杆部１ａと、その両端部に一端部で連設した逆Ｕ字状の止め杆部１ｂ、１ｃと、これら止め杆部１ｂ、１ｃの他端部を斜め下方へ延長して形成した押圧杆部１ｄ、１ｅとからなり、これら押圧杆部１ｄ、１ｅを互いに逆ハの字形に形成した。【選択図】図１
2011094336.tif 000002
【特許請求の範囲】
【請求項１】
中央の横杆部と、その両端部に一端部で連設する折り返し状に曲折した左右の止め杆部と、これら止め杆部の他端部を延長して形成した押圧杆部とからなり、これら押圧杆部を互いに逆ハの字形に形成したことを特徴とする補強金具用スリーブ係止具。
【請求項２】
前記横杆部と前記止め杆部と前記押圧杆部を１本の棒鋼により形成した請求項１に記載の補強金具用スリーブ係止具。
【請求項３】
前記押圧杆部にゴム製又はプラスチック製の筒形のキャップを被せた請求項１又は請求項２に記載の補強金具用スリーブ係止具。
【発明の詳細な説明】
【技術分野】
【０００１】
本発明は鉄筋コンクリート有孔梁用補強金具に使用されるスリーブ係止具に関する。
【背景技術】
【０００２】
鉄筋コンクリート有孔梁を建設する場合、孔を形成するためのスリーブ（筒状体）を鉄筋内に保持する必要がある。
【０００３】
このスリーブを鉄筋内で保持すると共に孔の周囲を補強する目的で用いられるのが補強金具である。
【０００４】
このような補強金具に関し、出願人は先に、鉄筋コンクリート有孔梁の補強金具の取付具と取付方法についての出願を行なった（特許文献１参照。）。
【先行技術文献】
【特許文献】
【０００５】
【特許文献１】特開２００７−６３９７６号公報
【発明の概要】
【発明が解決しようとする課題】
【０００６】
前記特許文献１の取付具は、補強筋を介してあばら筋に沿って配置される左右の足部材と、これら足部材間を連結する連結部材とを有しており、前記連結部材の中間部を前記補強金具により支持されるスリーブの上面への押圧部に形成して、スリーブを補強金具上に保持するようにしている。
【０００７】
しかし、この取付具によれば左右の足部材のあばら筋への取付けが面倒であり、又、前記スリーブを上面の一点のみで押圧しているので、スリーブの位置ずれが起こる危険性があるという問題があった。
【０００８】
本発明はこれらの問題点を解消し、スリーブの位置ずれの起こる危険性がなく、補強金具への取付けが容易な補強金具用のスリーブ係止具を提供することを目的とする。
【課題を解決するための手段】
【０００９】
本発明は前記の目的を達成すべく、中央の横杆部と、その両端部に一端部で連設する折り返し状に曲折した左右の止め杆部と、これら止め杆部の他端部を延長して形成した押圧杆部とからなり、これら押圧杆部を互いに逆ハの字形に形成した。
【発明の効果】
【００１０】
本発明によれば、孔形成用スリーブの位置ずれの起こる危険性がなく、鉄筋コンクリート有孔梁の配筋作業において、孔形成用スリーブの補強金具上への取付けが簡単になる係止具を提供できる効果を有する。
【図面の簡単な説明】
【００１１】
【図１】本発明のスリーブ係止具の平面図である。
【図２】同上スリーブ係止具を使用した補強金具の平面図である。
【発明を実施するための形態】
【００１２】
本発明を実施するための形態の実施例を以下に示す。
【実施例１】
【００１３】
本発明の実施例を図面により説明する。
【００１４】
図１は本発明のスリーブ係止具１の平面図である。
【００１５】
スリーブ係止具１は１本の丸い棒鋼により形成され、中央の横杆１ａと、その両端部に一端部で連設した左右の止め杆部１ｂ、１ｃと、これら止め杆部１ｂ、１ｃの各他端部を延長して形成した押圧杆部１ｄ、１ｅとからなり、前記止め杆部１ｂ、１ｃは、逆Ｕ字形の折り返し状に曲折して形成されていると共に前記横杆部１ａの両端部から斜上方の外方に曲折している。
【００１６】
前記押圧杆部１ｄ、１ｅは、互に逆ハ字形に形成されていると共にゴム製又はプラスチック製の筒形のキャップ１ｆを被せて、下方に突出しているこれら押圧杆部１ｄ、１ｅに人の手が当っても棒鋼が手に傷を付けないようにしている。
【００１７】
図２は前記スリーブ係止具１を適用する補強金具Ａの平面図である。
【００１８】
２は補強金具Ａの本体部で、該本体部２は内外の環状体２ａ、２ｂを共通一本の棒鋼により形成し、これら環状体２ａ、２ｂを２本の連結杆２ｃ、２ｄにより連結して構成されている。
【００１９】
前記連結杆２ｃ、２ｄは棒状で棒鋼からなり、前記外側環状体２ｂの下方部の側方より前記内側環状体２ａの中心部へ向かって斜めに突出して形成されており、これら連結杆２ｃ、２ｄの先端部でスリーブＢを支承する。
【００２０】
これら連結杆２ｃ、２ｄもその突出部にそれぞれゴム製又はプラスチック製のキャップ２ｅを被せて防錆及びスリーブＢの破損防止を図っている。
【００２１】
次に本実施例のスリーブ係止具の使用方法及びその効果について説明する。
【００２２】
補強金具Ａは、鉄筋コンクリート有孔梁の配筋において、あばら筋（図示せず）に補強金具Ａを針金等を用いて固定する。
【００２３】
そして、補強金具Ａの下方部にある２本の連結杆２ｃ、２ｄの先端部上にスリーブＢを載置し、該スリーブＢの上面部の２点を前記スリーブ係止具１が具備する押圧杆部１ｄ、１ｅの各先端部で押圧するようにして、針金２ｆを用いてスリーブ係止具１を、図２に示す如く横杆部１ａと止め杆部１ｂ、１ｃとの連設部及び押圧杆部１ｄ、１ｅの根部において、前記補強金具Ａの内側環状体２ａに結着して固定する。
【００２４】
このようにスリーブＢは同一円周上の４か所を押圧されて補強金具Ａに固定されているので、コンクリート打設時にもスリーブＢが位置ずれを起こす心配がない。
【００２５】
又、スリーブ係止具１の内側環状体２ａへの取り付けは針金２ｆによっているので、スリーブ係止具１の取付け位置を上下へずれすのは容易であり、これはスリーブＢの径が多少異なるものに対しても同一形状の補強金具Ａを用いることができて、対応するスリーブ径の範囲が広いという効果も有している。
【００２６】
尚、前記実施例において、前記止め杆部１ｂ、１ｃを逆Ｕ字形に折り返した例を示したが、コ字状に折り返してもよい。
【産業上の利用可能性】
【００２７】
本発明のスリーブ係止具は、鉄筋コンクリート有孔梁の形成において用いられる。
【符号の説明】
【００２８】
１          スリーブ係止具
１ａ        横杆部
１ｂ、１ｃ  止め杆部
１ｄ、１ｅ  押圧杆部
１ｆ        キャップ
２ｆ        針金
Ａ          補強金具
Ｂ          スリーブ
【図１】
2011094336.tif 000003
【図２】
2011094336.tif 000004
(57)【要約】      （修正有）【課題】年齢とともに変化してくる胸の形をしっかりと補正し、ワイヤーや生地が喰い込んだり擦れたりして痛い、痒いといったことを解消するとともに、横に表れがちな醜い段差を目立たなくする。【解決手段】弾力性を持ち、撓めることのできるプラスチック等の板である特定の形を作り、その板を肌に優しい布でカバーをする。【選択図】なし【特許請求の範囲】
【請求項１】
弾力性のある特定の形をしたプラスチック等の板（Ａ）に接触しても肌を傷めないようなカバー（Ｂ）を被せたブラジャーの脇部分に挟んで使用する乳房の形の補正サポート用パッドを提供
【発明の詳細な説明】
【技術分野】
【０００１】この発明は女性の使用するブラジャーの脇部分に挟んで使用する乳房の形を補正維持し、締め付けた肌の擦れて出来る痛み痒みから保護する下着部品に関する商品である
【発明の概要】
【発明が解決しようとする課題】
【０００２】ブラジャーで胸の形の補正をしていても、長時間のうちには補正の形が変化してきたり、またブラジャーの締め付けで擦れて肌に痛みを与えたり痒かったりすることが多い。又、脇部分にはブラジャーの食い込みで段差のできる人も多く見苦しく感じる
本発明はこのような女性の悩み、特に年齢とともに変化してくる女性の胸の形をしっかりと補正する下着の部品に関するものである
【課題を解決するための手段】
【０００３】本発明は弾力性のあるプラスチック等の素材で図面の様な形を作り、そのプラスチック等の部品を肌に優しい生地で包んだパッドを作る
【発明の効果】
【０００４】このパッドをブラジャーの装着時にブラジャーと肌の間、横部分に挟み、横から寄せてくると共に下からも持ち上げ支える感じになる。
こうすれば、年齢と共に下に、横に広がりやすい胸の形を補正し押し上げて持ち上げている事で肩こり解消にも一役買うと共に、擦れやすい脇部分の肌を保護する。また太っている場合ブラジャーをした時にできやすい脇や背中の段差が、この商品を使うとブラジャー布の喰いこみが防止され目立たなくなる
【実施例】
【０００５】図１は（イ）の部分は乳房が下がろうとするのを持ち上げ、（ロ）の部分で横への広がりを寄せて（ハ）の部分で横からしっかりと押さえて支えている。また、この部分は締めたブラジャーで出来やすい段差、擦れての不快感を緩和する働きをする。吸湿性の良いカバー布を付ければ汗取りパッドになるし、また香水等を付けておけば汗臭さを防げる。また幅や長さは体形に合わせればよく、ずれの心配は少ないが、用心のためにブラジャーに固定できるテープなどの取り付けも可能である。
【図面の簡単な説明】
【図１】平面図
【図２】装着図
【符号の説明】Ａ・・・・本体
Ｂ・・・・カバー
（イ）の部分・・・持ち上げ部分
（ロ）の部分・・・寄せ部分
（ハ）の部分・・・維持固定部分
【手続補正書】
【提出日】平成21年12月21日(2009.12.21)
【手続補正１】
【補正対象書類名】図面
【補正対象項目名】全図
【補正方法】追加
【補正の内容】
【図１】
2011094276.tif 000002
【図２】
2011094276.tif 000003
(57)【要約】【課題】  外出時に他人が触手した部分に不本意ながら触手して帰宅後に洗剤で手洗をする、わずらわしさを除去する方法を課題とした【手段】  手袋着装がベストだが、多くのネックが有るので其の負の部分を改善した。鋭角に突出する第一第二関節上部はオープンにして圧迫感を除外。違和感の少ない関節以外の部位二ヶ所を指三本挿入した器具部位で固定する方法を選択した図５。又各人各様に異なる手の形態、使用対称の形状変化により挿入指の本数を加減したり部位を変更して柔軟に対応する機能を有する。尚張力と屈折部位の相関々係で創設される不確定空間は多小のブレ図３−３が生じても指差し入れの障害にならないがバランスが重要で該器具のキーポイント。張力が強過ぎると空間が出来ない【選択図】図１
2011094278.tif 000002
【特許請求の範囲】
【請求項１】
横幅は名刺と同寸。縦幅は名刺の３分２。左右対称。ほぼ水平。の部材を製造して三部分、２、４、２、に弱伸縮性輪形繊維を各自着装図４−５し使用時は屈折部位３を上方へ軽くつまめば繊維の張力が作用してワンタッチで指差し入れ空間を創設する図３。不使用時は全体を軽く押し付けるだけで、ほぼ水平図２にコンパクト化されるが、其の形状推持のため屈折部位を本体の水平より後へ反らし図２−３張力を後方へ誘導して安定を増幅した本願器具の製造方法と構成
【発明の詳細な説明】
【技術分野】
【０００１】  本発明は電車のつり輪、スーパーの買物カゴ、ドアーノブ等不特定多数の人の手の平が接触する部分に直接触手せず自己の手の平を清潔に保持する器具の製造方法並びに構成に関する
【背景技術】
【０００２】  接触部分にハンカチを使用するか手袋を使用する位いで特筆べき技術はない
【発明の概要】
【発明が解決しようとする課題】
【０００３】  手の平の清潔持続には手袋がベストだが、夏場使用時の違和感。脱着時のわずらわしさ。不使用時の保管場所。等がネックになっている。故に、手袋の長所を維持しながら他のネックを解消する事を課題とした
【発明を解決するための手段】
【０００４】  重要なワンポイント手の平側指の第一第二関節部に重点を置き改良したがその部位は繊維を二重にして外部と遮断し手の平の清潔を確保。使用時の違和感を除外するため、あえて部材を組み込まず、快適性を追求して手袋の長所を温存した
【０００５】  鋭角に突出して屈折する第一第二関節上部は、オープンにして圧迫感を除外。抵抗感の少ない部位２ヶ所を利用し器具を固定するが多様な使用時の形態により適時固定部位を変更して柔軟に対応する。使用不使用の切り替えはワンタッチ。
【発明の効果】
【０００６】  不使用時はほぼ水平。名刺より小さいので（厚さ３ミリ程）胸ポケット、財布  カード入れ、等へコンパクトに収納出来る。又帰宅時の手洗い手間を省略出来る
【図面の簡単な説明】
【０００７】
【図１】実物大、平面図
【図２】不使用時横側面図）
【図３】使用時横側面図）
【図４】使用時縦側面図）
【発明を実施するための形態】
【実施例】
【０００８】  該発明図１の横幅は名刺と同寸。縦幅は３分２。左右対称。ほぼ水平。中央部分の左右両端４は使用時１８０度鋭角にワン曲し中心部は空間である。両端部分２の左右先端屈折部位四ヶ所３は使用時９０度前後上方へ不確定屈折（図３−３【０００９】  中央部分と両端部分３ヶ所は各自弱伸縮性輪状繊維を着装５（靴下滑り止程）最先端の凹部位で固定（拡大図）して脱落を防止する。着装目的は中央部は使用時の位置ずれ防止。両端部２は使用、不使用を切り替える部位３の可動を容易にして且つ不使用時の水平状態維持と形状安定のためで、すべて張力を利用する【００１０】  使用時は水平の左右屈折部３を上方へ軽くつまめば張力で相方が９０度程不確定屈折して指差入れ空間図３がワンタッチで出来上る。不使用時に過剰反応して水平から上方屈折するのを防ぐため屈折点の角度を調整し図３拡大図屈折部位３を水平以上に後へ反らし張力を後方へ誘導した。又繊維のみ取りはずし洗濯可
【符号の説明】
【００１１】２  両端部分
３  ９０度前後不確定上方屈折部位
４  １８０度鋭角ワン曲部位
５  弱伸縮性輪状繊維（靴下の滑り止め部より弱くパンストの滑り止めより強）
【図１】
2011094278.tif 000003
【図２】
2011094278.tif 000004
【図３】
2011094278.tif 000005
【図４】
2011094278.tif 000006
【図５】
2011094278.tif 000007
【手続補正書】
【提出日】平成22年1月18日(2010.1.18)
【手続補正２】
【補正対象書類名】明細書
【補正対象項目名】０００７
【補正方法】変更
【補正の内容】
【０００７】
【図１】実物大・平面図
【図２】不使用時横側面図
【図３】使用時横側面図
【図４】使用時縦側面図
【図５】使用図
(57)【要約】【課題】本発明品は日焼け予防用の手袋に滑り止めを設けたものを提供する【解決手段】手袋の手のひら側に滑り止め用のゴム製素材を縫い付けたり、編み込んだりしたところを特徴とする【選択図】図１
2011094277.tif 000002
【特許請求の範囲】
【請求項１】
日焼け予防手袋の手のひら側に滑り止めを設けたことを特徴とする手袋
【発明の詳細な説明】
【技術分野】
【０００１】この発明は手袋の手のひら側に滑り止めを設けた日焼け防止の為の手袋に関するものです
【背景技術】
【０００２】従来日焼け予防の為の手袋はあったが滑り止めを設けたものはなかった
【先行技術文献】
【０００３】これは次のような欠点があった
車を運転中にハンドルを回そうとすると手袋がすべりハンドルのきり遅れ、きり直しが必要で、危険も伴なった
本発明品は以上のような欠点を失くす為に考えたものである
【発明の概要】
【０００４】車のハンドルをきるべき時に手袋が上滑りしないように手袋の手のひら側にゴム製素材を縫い込んだり編み込んだりすることで車中での日焼けを防止しながら快適なドライブが可能になるように本発明は考えたものである
【課題を解決する為の手段】
【０００５】手袋の手のひら側にゴム製の部分を設ける
本発明は以上の構成によりなる日焼け防止、予防の手袋である
【発明の効果】
【０００６】日焼けを防止しながら素手で運転しているのと同じ用にハンドルをさばける
また本発明品は車中だけでなく庭で園芸をしたりする際にも使える。
【図面の簡単な説明】
【０００７】
【図１】本発明品の図である
【図２】本発明品の図である
【図３】本発明品の図である
【発明を実施する為の形態】
【０００８】本発明品の実施をする為の形態について説明すると素材は綿（ＡＶ加工もできる）半袖着用時長手袋（ノースリーブ用としても使える長さを持つ）長袖着用時の短手袋、色は白、黒、柔らかい綺麗な色合いのバリエーション、お洒落を楽しめる柄物も豊富に、サイズもＳＭＬ  用意できれば理想的である
手のひら側には滑り止め用のゴム素材が縫い込んだり編み込んだりしてある
本発明品を使用する時はゴムバンドが手首や二の腕にフィットするように装着するのである
【符号の説明】
【０００９】１  長手袋
２  短手袋
３  手袋の手のひら側
【図１】
2011094277.tif 000003
【図２】
2011094277.tif 000004
【図３】
2011094277.tif 000005
(57)【要約】【課題】      気温が低下すると手足の血流が悪くなり、手先の機能が急速に低下するので手を甲側から温めることでこれを解決し、特に機能障害者や負傷者の手先の血流を良くして機能が低下するのを少しでも和らげるのに有効な機能改善補助具を提供するものである。【解決手段】      本発明は、気温が下がると手先の機能が低下するのを和らげることを目的とした機能改善補助具であり、ミトンと５指手袋を縫って一体化したもので、ミトンの甲側に断熱効果のある素材を使用し、ミトンの手のひら側と５指手袋の手の甲側が接する面は熱伝導の良い素材を使用し、５指手袋の手のひら側には素手の感覚に近い素材をそれぞれ使用する。【選択図】図４
2011094274.tif 000002
【特許請求の範囲】
【請求項１】
手の甲側にはミトンを、手のひら側には５指手袋をそれぞれ設けて、５指手袋の中指先端と手首側端縁を直線状に結ぶようにミトンの手のひら側と５指手袋の手の甲側とを縫い付けるとともに、５指手袋の親指先端とミトンの親指先端を縫い付けて固定し、ミトンの表裏２層の隙間に熱源を入れて手の甲側から手を暖めることができる機能改善補助具。
【請求項２】
ミトンの甲側には断熱保温効果のある素材を、ミトンの手のひら側と５指手袋の手の甲側には保温効果が良く熱伝導効果が優れた素材を、さらに５指手袋の手のひら側には素手の感覚に近い素材をそれぞれ用いた請求項１記載の機能改善補助具。
【発明の詳細な説明】
【技術分野】
【０００１】
本発明は、脳卒中が原因で手足の機能が低下した人や、負傷して血流が悪くなり手先が冷え易い人等の手先を温める道具であり、温めることにより機能改善を助勢する補助具である。
【背景技術】
【０００２】
機能障害者や負傷者は、手先が冷えると健常者に比べて手先の機能が大幅に低下しやすい。本発明は、この手先の冷えを緩和するために、手を温めることで血流を浴して手先の機能改善を助勢するための補助具を提供するものである。
【０００３】
これまで下記に示す公開公報のように、５指手袋の手の甲側に加温剤を取り付けて手を甲から温めるものが知られている。
【先行技術文献】
【特許文献】
【０００４】
実開平７−３８１２０号公報
【発明の開示】
【発明が解決しようとする課題】
【０００５】
本発明は、このようなこれまでの障害者の状況に応じた機能改善補助具が提供されていないという課題を解決し、障害者にとって少しでも手先の機能が改善するように、機能改善を助勢する補助具を提供するものである。
【課題を解決するための手段】
【０００６】
本発明は、手の甲側にはミトンを、手の平側には５指手袋をそれぞれ設けて両者を５指手袋の中指先端と手首側端縁とを直線状に結ぶように縫い付けて固定し、ミトンの親指部分と５指手袋の親指部分とが同時に動くように両者の先端部分を縫い付けたものである。ミトンは通常通り上下２層構造として層間の隙間に懐炉などの熱源を入れて手の甲側から手を温めることで、寒冷時又は寒い時期であっても手先への血流を良くして手先の機能の改善を助勢する補助具を提供するものである。
【発明の効果】
【０００７】
本発明は、寒い時期、特に寒冷地では冬季になると寒さで手先への血流が悪くなり、特に障害を持った人は手先がより不自由になりがちである。この発明の補助具はそれを少しでも改善し、あるいは緩和して機能障害を改善するための補助具である。
【図面の簡単な説明】
【０００８】
【図１】本発明の補助具を手に付けて、手の甲側から見た図である。
【図２】同補助具を付けて手を開いた状態を、手のひら側から見た図である。
【図３】同補助具を手に付けて、手の甲側に設けたミトンの２層間に熱源を入れるために層間を開いた状態の図である。
【図４】同補助具のミトンと５指手袋を固定する部分を一点鎖線で示した図である。
【発明を実施するための形態】
【０００９】
以下本発明の実施形態における補助具を、図１から図４に基づいて説明する。図１は機能が低下した手に（ここでは左手）に本発明の機能改善のための補助具をはめた状態を示す。
【００１０】
図中、１は手の甲側に位置するミトン、２は手のひら側の５指手袋である。図２はこの補助具を手のひら側から見た図である。３はミトンと５指手袋を固定するところで、５指手袋の中指先端とミトンの手首側端縁を直線状に縫い付けるとともに、５指手袋親指先端とミトン親指先端とを縫いつけて固定した。４は５指手袋の差込口、５はミトンの２層間に熱源６を入れる開閉口で、層間に入れた熱源が簡単に外に抜け落ちなくするために、例えば固定用テープ(例えば、クラレ株式会社の登録商標  マジックテープ)で開閉口を閉じた状態に固定７する。
【００１１】
この補助具は、図１に示すように手の甲側はミトンで、手のひら側は５指手袋でそれぞれ出来ている。これは５指が自由に使えるようにするためのものである。
【００１２】
図３に示すように手の甲側に設けたミトンは、２層間に熱源を入れるために手首側より小指側に沿って開閉口４を設けた。なお、ミトンの甲側には断熱保温効果のある素材、例えばアルミコーテイングを施したポリエステル繊維布を、ミトンの手のひら側と５指手袋の手の甲側には保温効果が良く熱伝導効果に優れた素材、例えばビロードとかネルを、さらに５指手袋の手のひら側には素手の感覚に近い素材、例えば人工皮革、合成繊維を使用することが好ましい。
【００１３】
図４中、５は平ゴム紐で手首の大きさに合わせて伸縮可能とし、この補助具が簡単に手から外れないようにしている。
【産業上の利用可能性】
【００１４】
この補助具は、障害者の手先を温めるだけではなく、健常者が冬季に野外でスポーツ、例えばゴルフや野球をする時にも手先の感覚を鈍らせないよう使用することが出来る。
【符号の説明】
【００１５】
１  ミント
２  ５指手袋
３  ミントと５指手袋を固定する部分
４  ５指手袋の差込口
５  ミントに熱源を入れる開閉口
６  熱源
７  開閉口を固定する部分
【図１】
2011094274.tif 000003
【図２】
2011094274.tif 000004
【図３】
2011094274.tif 000005
【図４】
2011094274.tif 000006
(57)【要約】      （修正有）【課題】従来、被服に取り付けが可能なブローチ、コサージュ、ネクタイ等の装飾品は、フォーマルな場面で利用されるのが一般的であった。それらとは視点の異なった、よりカジュアルに利用でき、且つ実用品として利用されてきたものを装飾品に転用することによって、意外性のある装飾品を取り付けた被服を提供する。【解決手段】フィッシングルアー毛針を、着脱可能な安全ピンで取り付けたことを特徴とする被服である。釣り道具として実用的に使用されていたフィッシングルアー毛針を被服の装飾品として取り付けることにより、被服に意外性のある新鮮な印象を与えるとともに、フォーマルになり過ぎないファッションを提供することが可能となった。【選択図】図１
2011094262.tif 000002
【特許請求の範囲】
【請求項１】
フィッシングルアー毛針を、着脱可能な安全ピンで取り付けたことを特徴とする被服。
【発明の詳細な説明】
【技術分野】
【０００１】
本発明は、釣り具であるフィッシングルアー毛針を装飾として取り付けた被服に関する。なお、フィッシングルアー毛針を取り付ける被服はワイシャツやＴシャツなどの他に上着であるジャケットやオーバーコートを含む。本願の「フィッシングルアー毛針」を用いる釣り方法（ルアーフィッシング）は、生き物ではなく、疑似餌を用いて魚を釣ることで、文字通り、魚に魅惑的な動きを与えて楽しむ釣り方である。
【背景技術】
【０００２】
従来より、被服にブローチやコサージュなどの着脱可能な装飾品を取り付けることによって、被服をより華やかに見せることを可能としてきた。また、同一の被服でも異なった装飾品を取り付けることによって、その被服に新鮮な印象を与えることができる。しかしながら、そのような従来の装飾品は一般に装飾品としてデザインされたものがほとんどであり、装飾品以外の目的で使用されてきたものを装飾品として被服に取り付けたものはほとんどないといってよい。
【先行技術文献】
【特許文献】
【０００３】
【特許文献１】特開平９−２７９４０１号
【発明の概要】
【発明が解決しようとする課題】
【０００４】
従来、被服に取り付けが可能なブローチ、コサージュ、ネクタイ等の装飾品は、フォーマルな場面で利用されるのが一般的であった。それらとは視点の異なった、よりカジュアルに利用でき、且つ実用品として利用されてきたものを装飾品に転用することによって、意外性のある装飾品を取り付けた被服を提供する。
【課題を解決するための手段】
【０００５】
フィッシングルアー毛針を、着脱可能な安全ピンで取り付けたことを特徴とする被服である。
【発明の効果】
【０００６】
本発明によると、釣り道具として実用的に使用されていたフィッシングルアー毛針を被服の装飾品として取り付けることにより、被服に意外性のある新鮮な印象を与えるとともに、フォーマルになり過ぎないファッションを提供することが可能となった。
【発明を実施するための形態】
【０００７】
以下、本発明を添付図面に基づいて詳細に説明する。図１は、フィッシングルアー毛針を取り付けたワイシャツを示す写真であり、図２は、被服に取り付けるフィッシングルアー毛針を示す写真である。
【０００８】
まず、図１に示す写真は疑似餌であるフィッシングルアー毛針を無地のワイシャツの胸元に取り付けた実施例である。フィッシングルアー毛針とは、針に毛を付け虫のように見せかけたもので、本来魚釣りの道具として使用されるものであり、装飾品として利用されることは想定されていなかった。しかし、フィッシングルアー毛針そのものがデザイン性に優れたものであることに着目し、これを被服の装飾品とした。
【０００９】
フィッシングルアー毛針を取り付ける被服は次に限られるものではないが、例えばワイシャツやＴシャツなどの他に、上着であるジャケットやオーバーコートなども含む。
【００１０】
図２に示す写真はフィッシングルアー毛針本体である。毛針の下部に安全ピンを取り付け、被服への着脱が可能となっており、洗濯時には簡単に取り外せ、取り付け位置の調節も可能である。
【図面の簡単な説明】
【００１１】
【図１】フィッシングルアー毛針を取り付けたワイシャツを示す写真。
【図２】フィッシングルアー毛針を示す写真。
【図１】
2011094262.tif 000003
【図２】
2011094262.tif 000004
(57)【要約】      （修正有）【課題】火力、水力、原子力、風力等で現在発電しているが、ＣＯ２問題が騒がれている今日、今までエネルギーとして、考えていなかった潮の流れを使って発電をおこなう方法で、干満の差による水位の変化と流れの方向変化に対応できる発電装置を提供する【解決手段】潮の流れを常時有効に受ける様に双胴船型の台船１の上部に水車２を取り付け、クラッチ３にて増速及び転流による水車の反転に対応し、オメガクラッチ４で回転数の変動に対応して発電する。【選択図】図３
2011094602.tif 000002
【特許請求の範囲】
瀬戸内海の潮流にて、水車を回転させ発電を行う。
【発明の詳細な説明】
【発明の詳細な説明】
【０００１】この発明は、瀬戸内海を見て、育った私にとって、このエネルギーを、発電等有効に使えないかと十余年前より漠然と考えていた物である。
【０００２】従来の技術
火力  水力  原子力  風力等で現在発電しているが、ＣＯ２問題が騒がれている今日、ＴＶで潮力発電を神戸大学の先生が研究していると云うのを見て、これなら、自分の考えていた方法が大きな発電を出来ると具体的に図面にしてみた。
【０００３】長所  短所  問題点
長所．．．潮は止まる時も有るが、予め潮速が解かり、大きなエネルギーを得られる。
短所及問題点
１．海には干満潮が有り動力を常時有効に得る事が難しい
１  船舶の往来のじゃま。
１  漁業権
１  構造物が大きく、資金が必要
【０００４】課題を解決する為の手段
１．干満の差に対応する為に考えたのが双胴船の様な構造の台船を作り真中に水車を取り付ける
１．船舶の往来が無い所でも潮流が計算出来る所は有る。（候補地はだいたい決めている）
１  資金に関しては、電力の計算が出来る人が利益が得られると解かった時点で考える。
１．水車の径は、ｒ＝２ｍぐらいとｒ＝５〜１０ｍ２通り考えている。
【図面の簡単な説明】
【図１】横から見た図
【図２】前から見た図
【図３】上から見た図
【図４】台船の固定方法
【図５】羽根の構造
【図１】
2011094602.tif 000003
【図２】
2011094602.tif 000004
【図３】
2011094602.tif 000005
【図４】
2011094602.tif 000006
【図５】
2011094602.tif 000007
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
瀬戸内の潮の流れを常時有効に受ける様に双胴船型の台船（１）の上部に水車（２）を取り付けクラッチ（３）にて、増速及、転流による水車の反転に対応し、オメガクラッチ（４）で回転数の変動に対応発電機にて発電すると云うシステムである。
【手続補正２】
【補正対象書類名】明細書
【補正対象項目名】全文
【補正方法】変更
【補正の内容】
【発明の詳細な説明】
【技術分野】
【０００１】この発明は、今までエネルギーとして、考えてなかった。
潮の流れを使って、何とか発電に使えないかと小型の船舶の機関長のレベルでいろいろ考えたものである。
【背景技術】
【０００２】今まで潮流による発電は本人の知る所では、あまり実用化されてなく、ある時、ＴＶで神戸大学の先生が、マグロ型の発電機を研究してるのを見た自然の大きなエネルギーをもっと大きな力として、使えないかと思ったのが前から、イメージしていた水車式発電機である。川の急流には、このタイプの発電は有ったかも知れない。これを、考えて行く中で水量豊富な川なら、安価でかなりの発電は、可能だと思った
【発明の概要】
【発明が解決しようとする課題】
【０００３】これには次の様な問題が有った
イ／海には干満の差が有る
ロ／潮流の速度及方向の変化
ハ／漂流物による影響
ニ／構造物が大きく資金が必要
ホ／海洋生物による影響
ヘ／船舶の往来及漁業権問題
【課題を解決する為の手段】
【０００４】イ／干満の差による水位の変化に対応する為に考えたのが双胴船の様な台船に水車を取り付ける事を考えた。
ロ／流れの変化に対応する為に逆転用クラッチに増速ギアーを内蔵し、又潮速の変化に対応する為にオメガクラッチ（船舶の主機関付用発電機）を付ける。この時水車径を何ｍに定めるかにより、回転数が変わるが、発電する為には、かなりの増速が必要である。
潮流が最強１０ノット（＝１８．５２ｋｍ／ｈ）
水車径  ｒ＝２ｍで  ２４．４ｒｐｍ（ｍａｘ）
水車径  ｒ＝５ｍで  ９．８４ｒｐｍ（ｍａｘ）
だから、かなりのギア比で増速せねばならぬ。
ハ／漂流物の影響に対しては、図３の様に前面及び後面に１メッシュ程度の金網を施し、網にゴミが漂着すれば、人力でゴミ回収用の足場から回収すれば良い。
又金網を脱けたゴミの影響を無くする為に、水車の羽根は、ステンレス性の板の端に１０〜１５ｃｍ程のゴム板をフラットバーで取り付ける（図５参照）
ホ／海洋生物の付着の影響を考えて水面下はステンレス性で作り、付着時は小潮の転流時ダイバー作業で行い、ドックレスも考えている。
【発明の効果】
【０００５】この装置を使って、具体的に何ｋｗの電気が発生するか残念ながら計算出来ないが、風力発電に近い発電をすると思う。
ＣＯ２ガス問題の行き先がまだ定かでないが、もう一つの自然エネルギーとして、実用化してみたいと思う
【図面の簡単な説明】
【０００６】
【図１】‥‥横から見た想像図
【図２】‥‥前面から見た想像図
【図３】‥‥上から見た想像図
【図４】‥‥台船の固定方法
【図５】‥‥羽根の構造
【発明を実施する為の形態】
【０００７】私は、これを実用化を一人でする事は出来ない
協力者が有れば、（知識的な協力、及び金銭的な協力）前に進めると思う。
又実用化した場合、船のメンテナンスには自信が有るのでメンテナンスの責任者として、働いてみたい。
【実施例１】
【０００８】電力会社、地域の工場その他協力者が出て来て、いっしょにやれる自信が有れば実施したい。
【産業上の利用の可能性】
【０００９】まだイメージの世界で何とも云えないがＣＯ２対策として少しは役に立てる気がする
【手続補正３】
【補正対象書類名】図面
【補正対象項目名】全図
【補正方法】変更
【補正の内容】
【図１】
2011094602.tif 000008
【図２】
2011094602.tif 000009
【図３】
2011094602.tif 000010
【図４】
2011094602.tif 000011
【図５】
2011094602.tif 000012
(57)【要約】      （修正有）【課題】高い熱効率や大きな動力が得られる蒸気タービンを提供する。【解決手段】高温高圧の過熱蒸気の代わりに、１００℃以上の高温高気圧水を、一気に飽和圧力点（沸点）を越える減圧、または大気圧（１気圧）内に噴射し、このことに因り、高温高圧の水は高圧から一瞬に解放され、沸点が急激に下がることに因り、一瞬に沸騰し、体積が約１６００−１７００倍の水蒸気になることにより水蒸気爆発を起こす。例えば図２の点Ａは２００℃／２０気圧から一気に大気圧の点Ｂに解放された状況を示してある。沸点が１００℃の大気圧内で、２００℃の水は存在することが出来ず、一瞬に沸騰し水蒸気へと相が転移し、水蒸気爆発を起こす。【選択図】図２
2011094601.tif 000002
【特許請求の範囲】
【請求項１】
爆発行程を有する蒸気タービン。
【請求項２】
請求項１の蒸気タービンであって、１００℃以上の高温高圧水を一気に飽和圧力点（沸点）を越える減圧、または大気圧中への噴射による水蒸気爆発を発生させる行程を有する蒸気タービン。
【請求項３】
請求項２の蒸気タービンであって、過熱蒸気または／及び高温空気を併用してタービンに噴射する蒸気タービン。
【発明の詳細な説明】
【技術分野】
【０００１】    この発明は、水蒸気爆発のエネルギーを利用した、蒸気タービンに関する。
【背景技術】
【０００２】    最近は蒸気機関を見なくなった。この様な外燃機関は内燃機関と比較した場合、熱源が外部にあるため燃料の形態（気体・液体・固体）による選択肢が広く、最適な条件で燃焼させられるため、大気汚染物質の排出を抑えやすい。しかし、付帯設備（ボイラーや復水器など）が大掛かりになり、大きな空間を占めて大重量となり、現在ではほとんど用いられていない。しかし、発電分野である火力発電や原子力発電の分野では蒸気を利用した蒸気タービンが中心的役割を果たしている。
【先行技術文献】
【０００３】
【特許文献１】  特開２００８−２９２１１９号広報
【特許文献２】  特開２００８−２４８８２号広報
【特許文献３】  特開２００６−２４２５２２号広報
【発明の概要】
【発明が解決しようとする課題】
【０００４】    外燃機関であるピストン運動の蒸気機関や羽根車（タービン）の回転運動の蒸気タービンは、その言葉どおりに、既存の蒸気タービンや公開されている特許文献等、すべて例外なく、蒸気を使っている。しかし、蒸気の質量は小さく、運動効率はよくない。その為更なる熱効率や大きな動力を得るために、過熱・加圧器等で高温高圧の過熱蒸気を生成する必要がある。例えば６００℃、２５０気圧の高温高圧化のためには装置や施設そのものが複雑・大型化しコストが増し、経済的ではない。【０００５】    また高温高圧を得るため、最近は１５００℃の超高温のガスタービンも開発されている。これらの燃料の選択肢は限られていて、装置共々高価である。
【課題を解決するための手段】
【０００６】    既存の蒸気タービンは高温高圧の水蒸気（過熱蒸気）をタービン室内に噴射し、水蒸気の膨張圧力エネルギーを利用する。しかし、本蒸気タービンは高温高圧の過熱蒸気の代わりに、１００℃以上の高温高気圧水を、一気に飽和圧力点（沸点）を越える減圧、または大気圧内に噴射し、このことに因り、高温高圧の水は高圧から一瞬に解放され、沸点が急激に下がることに因り（図２ｂ）、一瞬に沸騰し、体積が約１６００−１７００倍の水蒸気になることにより水蒸気爆発を起こす。例えば図２ｂの点Ａは２００℃／２０気圧から一気に大気圧の点Ｂに解放された状況を示してある。沸点が１００℃の大気圧内で、２００℃の水は存在することが出来ず、一瞬に沸騰し水蒸気へと相が転移し、水蒸気爆発を起こす。
【発明の効果】
【０００７】    蒸気タービンであるが、ガスタービンのような燃焼・爆発エネルギーを、水蒸気爆発により得ることが出るが、ガスタービンのような高温高圧の燃焼エネルギーを必要とはしない。【０００８】    従来の高温高圧の過熱蒸気を用いる蒸気タービンに比べ、低温低圧であるため装置や設備は単純・小型化することができ、産業化のための経済負担は非常に小さくて済む。また燃料の選択肢は広く、例えば各自治体のごみ焼却炉の熱エネルギーを簡単に再利用でき、二酸化炭素の排出削減に寄与する。【０００９】    発電用外燃機関以外に船舶用機関としても利用できる。
【図面の簡単な説明】
【００１０】
【図１】（ａ）高温高圧水（過熱水）を用いた本蒸気タービンの概念図。（ｂ）高温高圧蒸気（過熱蒸気）を用いた従来の蒸気タービンの概念図。
【図２】（ａ）水の蒸気圧曲線を示した表（１）  （ｂ）水の蒸気圧曲線（２）で、高温高圧水の一瞬の圧力解放を示す。
【発明を実施するための形態】
【００１１】    図１ａは本発明の蒸気タービンの概念を示す。ボイラー１内上部には高温高圧の蒸気２があり、同下部には高温高圧水３がある。この状態では飽和状態であるが、過熱・加圧装置４で飽和温度よりも更に高温高圧にし、ノズル５より、一気にタービン内６に噴射し、高温高圧水を一気に飽和圧力点（沸点）以下に減圧したり、または大気圧中に噴射し、該高温高圧水の圧力を一瞬に押し下げる。例えば大気中に一瞬に解放された１００℃以上の高温水は水の相を維持できず、一瞬に水蒸気に相を変移する。その瞬間には水の体積に比べ、水蒸気の体積は約１６００−１７００倍に膨張し、爆発する。この爆発エネルギーを連続的に利用すれば、ガスタービンや、ジェットエンジンのように大きなエネルギーを得て、タービンを高速回転することが出来る。
【００１２】    該タービン内に高温高圧水を噴射するときに、過熱蒸気や高温空気を併用し噴射することも出来る。
【記号の説明】
【００１３】１      ボイラー
２      高温高圧蒸気
３      高温高圧水
４      過熱・加圧装置
５      ノズル
６      タービン
７      水蒸気爆発
【図１】
2011094601.tif 000003
【図２】
2011094601.tif 000004
(57)【要約】【課題】使用後臀部を水洗する機能を備える洋式便器では、使用者によって水勢に関し適切な強さと感じる範囲が大きく異なる為、調整機能を持たせたとしても前回の使用者が調整したレベルで次回の使用者が噴射を受ける事と成る為噴射水勢の最強レベルを充分大きくする事ができなかった。【解決手段】本発明では噴射の停止操作が行われると同時に手動で行われた水勢設定を解除して、あらかじめ設けた中位以下の弱い設定に戻すようにして従来の問題を解決した。【選択図】なし【特許請求の範囲】
【請求項１】
使用後臀部に水を噴射して洗浄する機能を備えた洋式便器にあって、噴射の水勢を手動調整する機能を備え、噴射停止操作に伴い前記手動調整された水勢が解除され予め用意した中位以下の水勢に設定される構成とした事を特徴とする水勢制御方法
【請求項２】
請求項１の制御条件に加え、水が噴射されている時のみ、手動調整機能を有効としてその他の場合には手動調整が無効となるようにした事を特長とする、水勢制御方法。
【発明の詳細な説明】
【技術分野】
【０００１】本発明は、使用後臀部に水を噴射して洗浄する機能を備えた洋式便器において噴射する水勢のより良い制御を実現するものである
【発明が解決しようとする課題】
【０００２】充分な洗浄効果を得るには相当強度の水勢を必要とするが、使用者の感じる最適な水勢はそれぞれ大きく異なり、特に水勢が強すぎると感じる人にとっては痛いとさえ思える苦痛である場合も少なくない。
従って、水勢を使用者が好みに合わせて調整出来る機能を持たせている。
しかし、水勢調整機能を備えても、前回使用者とそれに続く使用者との間の水勢に関する感覚の差に対応する事は出来ず、結果的に、水勢調整の上限は洗浄能力からみた最適強度より、多くの人が痛いと感じることの無い様な弱めに設定せざるを得ないのが実情であった。
【課題を解決するための手段】
【０００３】本発明では、使用後この水の噴射は例外なく停止操作が行われる事に着目して停止操作と同時に、水勢設定が手動による調整から解除され、予め用意した中位以下の強度に自動的に設定されるようにしたものである。
尚水勢の調整が、噴射中に限定されていれば、悪戯、或いは誤って調整装置に触れた事が原因で、急に強すぎる噴射にさらされる危険が防止出来る。
【発明の効果】
【０００４】本発明では、水勢調整の上限を誰でも充分な洗浄効果と感じるレベルまで用意し使用者は自らの調整で満足出来るレベルで使用する事が出来る。
使用後は、停止操作が行われ、水勢設定は、誰もが決して強すぎると思わないレベルに戻される。従って、次の使用者の感覚が一般的なレベルでない場合でも急に強すぎる噴射に曝される危険がない。